(57)【要約】【課題】螺旋線材を縦・横組み合わせて構成する金網において、特殊な技能や装置を使用することなく、金網を鋼製等の枠体に強固に定着する簡便な方法を提供すること。【解決手段】螺旋線材による金網１の端部定着構造螺旋状の鋼線材を縦・横組み合わせて構成する金網の端部定着構造において、帯状の平鋼２もしくはL字状形鋼２ａ等からなる２つの挟持金物を用いて金網１の端部の縦線１４と横線１５ａを挟み込み、挟持金物を、該金物を貫通するボルト３とナット４にて締結し、挟持金物に平行する横線１５ａの少なくとも１本をボルト３よりも縦線１４の端部側に配置することで、横線１５ａと縦線１４で形成される網目５にボルト３を通し、かつ、横線１５ａと直角方向に交差する縦線１４における前記ボルトよりも外側に配置された横線より外側の端部を、所定長さに渡って折り曲げ部９を設け、この折り曲げ部９を前記２枚の挟持金物で挟み込んだことを特徴とする。【選択図】  図１
2006312840.tif 000002
【特許請求の範囲】
【請求項１】
螺旋状の鋼線材を縦・横組み合わせて構成する金網の端部定着構造において、
帯状の平鋼もしくはL字状形鋼等からなる２つの挟持金物を用いて前記金網の端部の縦線と横線を挟み込み、前記挟持金物を、該金物を貫通するボルトにて締結し、挟持金物に平行する前記横線の少なくとも１本を前記ボルトよりも外側に配置し、前記横線と直角方向に交差する前記縦線における前記ボルトよりも外側に配置された横線より外側の端部を、所定長さに渡って折り曲げ、この折り曲げ部を前記２枚の挟持金物で挟み込んだことを特徴とする螺旋線材による金網の端部定着構造。
【請求項２】
前記金網の縦線と横線を構成する螺旋状の鋼線材は、螺旋の外径が線材の直径の約２倍であるように成形されていることを特徴とする請求項１記載の螺旋線材による金網の端部定着構造。
【発明の詳細な説明】
【技術分野】
【０００１】
本発明は、螺旋線材による金網の端部定着構造に関するものである。
【背景技術】
【０００２】
波線や螺旋線材等の鋼線を用いた金網は土木、建築等の分野で多く用いられる。この金網の改良案の一つとして、特許文献１（特開２００１−３３６０４８号）には、螺旋の外径が線材の直径の約２倍であるように形成された螺旋状の鋼線材を縦・横組み合わせて構成する網体についての開示がなされている。この網体は、まず、所定の外径からなる線材を、螺旋径が前記外形の約２倍で山部及び谷部とが略一致する形状とすると共に、各谷部が螺旋中心の外側に位置するように所定のリード及びピッチで螺旋状に旋回した螺旋線材を構成する。つぎに前記の螺旋線材を、所定の間隔をおいて配列した多数の横線及び縦線とし、この横線と縦線の各々の山部と谷部が係合するように組み合わせて網体を構成するものである。
【０００３】
特許文献１の網体によると次のメリットがある。まず、螺旋線材自体の構造により高い強靭性及び耐久性を有しながら軽量化することができる。また、この螺旋線材を横線および縦線として組み合わせた網体は、作業現場で簡易、かつ短時間に組立て及び分解することができる。すなわち、螺旋線材からなる縦線と横線は、それぞれ回転させることで直角方向に交互に交差する相手側の線材に対し容易に編み込み、または引き抜くことができるので、例えば、次のような使用形態で実施できる。縦線と横線を最密状態に編成した網体を構成しておいて、現場にて必要に応じてその中の１本または複数本の線材を間引き、使用環境に応じて最適な形態の金網を構成できる。また、2枚の金網の端部から伸びる螺旋線材を櫛歯状に噛み合せた上、この櫛歯状に噛み合せた螺旋線材に対し直角方向に交差させて連結用の螺旋線材を回転して編み込むことにより、隣接する2枚の網体を容易に連結できる。また、連結用の螺旋線材を前記と反対に回転して引き抜くことにより、連結した２枚の網体を分離することができる。
【０００４】
特許文献1に開示の網体を用いた立体構造物および、その構築方法、さらにはこの網体および網体を用いた立体構造物の接合方法及び結合方法ついては、本出願人が、特願２００４−１００２２４２号（未公開）にて提案している。
【０００５】
ところで、通常の金網は、その周辺の端部を鋼製の枠体に固定することにより、金網としての強度及び機能を発揮するものである。このために、例えば、溶接金網等の金網では、これを枠体に固定する方法として、溶接等により鋼製の枠体に素線を固着する方法が考えられる。しかし、この方法は現地などで作業する場合、溶接工などの特殊な技能を有する作業員とそれに付随する設備が必要となるため、コスト高となるという問題がある。
【０００６】
他方、前記の溶接を行わずに金網を鋼製の枠体に固定する方法として、金網の網目にボルト等を所定の間隔で貫通させて、そのボルトを鋼製等の枠体に固定するという方法がある。この場合、枠体には通常、帯状の平鋼やL字型の形鋼（アングル材）を用いて、これら２枚の枠体で金網の端部を挟み込みボルトで締結すると共に、そのボルトを金網の網目を貫通するように配置するものである。
【０００７】
前記のように帯状の平鋼やL字型の形鋼など２枚の枠体で金網の端部を挟み込みボルトで締結すると共に、そのボルトを金網の網目を貫通するように配置する金網端部の定着構造を特許文献１の網体に用いた場合は、次の問題が生じることが分った。これを図８（ａ）（ｂ）によって説明する。
【０００８】
図８（ａ）（ｂ）に示す金網１は、螺旋線材からなる縦線１４と横線１５を編成して構成されている。また、この金網１は、図６に示す最密状態の金網１２ｂから縦線１４と横線１５をそれぞれ４本の中から２本の割合で間引くことで製作されている。この金網１の端部は、図８（ｂ）に示すように２枚の帯状平鋼２で縦線１４と横線１５を挟み、さらに、２枚の帯状平鋼２を貫通するボルト３とナット４にて２枚の帯状平鋼２の間を締結する。このようにして金網１の端部は、縦線１４と横線１５を２枚の帯状平鋼２で挟むことによって定着される。また、この定着部において、ボルト３は縦線１４と横線１５とで形成される網目５を挿通するように配置される。具体的には、縦線１４の先端部１０は、ボルト３が貫通する部位よりも外端部寄り（図８の上方部位）まで伸びており、かつ、ボルト３よりも外端寄りの部位において、１本または複数本の横線１５ａが縦線１４に交差して編み込まれることで、ボルト３が貫通する部位に前記の網目５が形成される。
【０００９】
前記の金網端部の定着構造によると、縦線１４と横線１５、１５ａが螺旋線材で構成されるため、従来一般の波線からなる金網の端部を枠体で挟持して定着する場合とは別の問題が生じる。すなわち、螺旋線材を軸方向にみると外形が円形である。したがって、螺旋線材を挟持する２枚の帯状平鋼２は、あたかも丸い円柱体の周縁対称部位を法線方向から挟み付けるような形態となる。このように線材の外形が円形であるため、特に、縦線１４を大きな挟持力で挟持しても、その回転自体を止めることは困難である。
【００１０】
このため図８の定着構造であると、縦線１４に一定以上の下向きの引っ張り力が作用した場合、次の問題が生じる。すなわち、縦線１４がボルト３の上側の横線１５ａと交差していることにより、縦線１４に作用する下向きの力が横線１５ａに伝わると共に、横線１５ａはボルト３によって下方向の移動が阻止されているので、この横線１５ａが固定側となって、縦線１４に作用する下向きの力が、縦線１４の伸びを伴う回転力に変換される。このため縦線１４は、回転しながら横線１５ａから引き抜かれるように下方に移動する。つまり、２枚の帯状平鋼２とボルト３により縦線１４が横線１５ａを挟持し、かつ、横線１５ａがボルト３によって下方に移動しないように係止されていても、縦線１４は下方に伸びながら回転してしまい、金網端部の定着機能は奏されないのである。
【００１１】
前記の問題は、図８の定着構造を金網の側部の定着構造に実施した場合も同様である。この場合は、金網の横線に横方向の引張力が作用することにより、横線が回転しながらこれと直角に交差する縦線から抜け出るという問題が生じる。なお、螺旋線材を用いた金網の他の従来技術としては、特開２００４−２３７３４４号がある。
【特許文献１】特開２００１−３３６０４８号公報
【特許文献１】特開２００４−２３７３４４号公報
【発明の開示】
【発明が解決しようとする課題】
【００１２】
螺旋線材からなる縦線と横線を直角方向に交差するように編み込んだ金網端部を挟み込んで定着する場合、従来の定着構造では、十分な定着機能を期待できなかった。すなわち、端部固定用の枠体を用いて大きな挟持力で縦線と横線を挟持しても、縦線に作用する一定以上の引っ張り力に対しては、直角方向に交差する相手側の線材が反力受け側となって、縦線が伸びながら回転し相手側の線材から抜け出るように伸びるのを止めることができなかった。このため螺旋線材からなる金網は、金網としての強度及び機能を発揮できない問題点があった。
【００１３】
そこで、本発明は、螺旋線材を縦・横組み合わせて構成する金網において、特殊な技能や装置を使用することなく、金網を鋼製等の枠体に強固に定着する簡便な定着構造を提供することを目的とする。
【課題を解決するための手段】
【００１４】
前記の目的を達成するため、本発明は、次のように構成した。
【００１５】
第１の発明は、螺旋状の鋼線材を縦・横組み合わせて構成する金網の端部定着構造において、帯状の平鋼もしくはL字状形鋼等からなる２つの挟持金物を用いて前記金網の端部の縦線と横線を挟み込み、前記挟持金物を、該金物を貫通するボルトにて締結し、挟持金物に平行する前記横線の少なくとも１本を前記ボルトよりも外側に配置し、前記横線と直角方向に交差する前記縦線における前記ボルトよりも外側に配置された横線より外側の端部を、所定長さに渡って折り曲げ、この折り曲げ部を前記２枚の挟持金物で挟み込んだことを特徴とする。
【００１６】
第２の発明は、第１の発明において、前記金網の縦線と横線を構成する螺旋状の鋼線材は、螺旋の外径が線材の直径の約２倍であるように成形されていることを特徴とする。
【発明の効果】
【００１７】
本発明の螺旋線材による金網の端部定着構造によれば、挟持金物に平行する横線の少なくとも１本を前記ボルトよりも外側に配置し、縦線を横線の直角方向に交差させると共に、縦線の先端部を折り曲げて挟持金物で挟持したので、縦線に引っ張り力が作用したとき、該縦線が前記横線から引き抜かれるように回転するのを確実に阻止できる。したがって、特殊な技能や装置を使用することなく、ごく簡単な作業により金網を鋼製等の枠体に強固に定着することができる。
【発明を実施するための最良の形態】
【００１８】
以下、本発明の実施形態を図を参照して説明する。
【００１９】
図１（ａ）（ｂ）は、第１実施形態に係る金網の端部定着構造を示す。図１（ａ）は、図１（ｂ）の中央部縦断正面図、図１（ｂ）は、２枚の帯状平鋼で金網の端部を固定した形態を示す断面図である。
【００２０】
図２（ａ）（ｂ）は、第２実施形態に係る金網の端部定着構造を示す。図２（ａ）は、図２（ｂ）の中央部縦断正面図、図２（ｂ）は、２枚のL字状形鋼で金網の端部を固定した形態を示す断面図である。
【００２１】
図１、図２に示す金網１は、螺旋線材からなる縦線１４と横線１５を直角に交差するように編成して構成されている。縦線１４と横線１５に用いる螺旋線材の形状は図３に示されている。図３に示すように、鋼線からなる螺旋線材１７は、同一形状の山部１８と谷部１９が軸線方向に相対して繰り返される螺旋状であり、かつ谷部１９が螺旋中心軸Ａ−Ａに接する位置またはそれに近い位置に旋回する線材である。Ｂ−Ｂは螺旋外径の接線である。
【００２２】
図３に示す螺旋線材１７を縦線１４と横線１５に用いて直角に交差するように編み込むことで、図６または図４に示す網体を構成できる。図６には縦線１４と横線１５を最も密に編成した最密状態の網体１２ｂを示している。また、図４には、図６に示す最密状態の網体１２ｂから縦線１４と横線１５をそれぞれ４本の中から２本の割合で間引くことで製作した網体１２ａを示している。
【００２３】
図１、図２に示す金網１は、図４に示す網体１２ａを用いて構成した例が示されている。図１の場合は、２枚の帯状平鋼２で金網１の端部の縦線１４と横線１５ａを挟み、さらに、２枚の帯状平鋼２にボルト３を貫通してナット４に螺合することで、金網端部の縦線１４と横線１５ａをきつく挟持している。また、ボルト３は縦線１４と横線１５、１５ａからなる網目５を挿通している。すなわち、縦線１４の先端部は、ボルト３が貫通する部位よりも外端部寄り（図１の上方部位）まで伸びており、このボルト３よりも外端寄りの部位において、１本または複数本の横線１５ａが縦線１４に交差して編み込まれることで、ボルト３が貫通する部位に前記の網目５が形成されている。さらに、本発明では、縦線１４の先端部（縦線１４における前記ボルト３よりも外側に配置された横線１５ａより外側の端部）に所定の長さに渡って、縦線１４の中間部長手方向に交差する方向に延びる折り曲げ部９を設け、この折り曲げ部９を２枚の帯状平鋼２で挟持している。ボルト３は、帯状平鋼２の長さ方向に所定の間隔をあけて複数設けられる。
【００２４】
図２の場合も図１と略同様に定着部が構成される。すなわち、図２の場合は、金網１の端部を２枚のL字状形鋼２ａを重ね合わせ、その垂直片６で金網１の端部の縦線１４と横線１５ａを挟み、さらに、この垂直片（縦片）６にボルト３を貫通してナット４に螺合することで、金網端部の縦線１４と横線１５ａをきつく挟持している。また、ボルト３を縦線１４と横線１５ａからなる網目５に配置することによって、金網端部の定着部を構成している。また、縦線１４の先端部に所定の長さに渡って手前に向けた折り曲げ部９を設け、この折り曲げ部９を２枚のL字状形鋼２ａの水平片（横片）１３で挟持している。ボルト３は、L字状形鋼２ａの長さ方向に所定の間隔をあけて複数設けられる。
【００２５】
図１と図２に示す金網端部の定着構造によると、縦線１４に下向きの力が作用するとき、この力は、ボルトの上部において、縦線１４と直角に交差する横線１５ａに伝わる。このとき、横線１５ａがボルト３で係止されていることで固定側となり、縦線１４に作用する下向きの力が縦線１４を伸ばすと共に回転させるようになる。しかし、このとき縦線１４の先端の折り曲げ部９が２枚の帯状平鋼２または２枚のL字状形鋼２ａで挟持されていることで、縦線１４の回転が阻止される。これにより縦線１４が横線１５ａから引き抜かれるように下方に伸びる（移動する）不具合を解消できる。
折り曲げ部９の長さや角度は、回転を拘束できるに十分な量であれば良く、折り曲げ長さとしては、螺旋線材の線径の３〜４倍以上、折り曲げ角度としては、４５°〜１３５°が好ましい。
【００２６】
本発明者は、図１に示した本発明に係る金網端部の定着構造と、図８に示した従来の金網端部の定着構造において、螺旋鋼線からなる螺旋線材（縦線１４）に下向きの力（荷重）を作用させ、その荷重の大きさと、荷重作用点の変位（但し、図１の場合は伸び量で、図８の従来の場合は、螺旋線材が抜けてくるため伸び量ではなく、荷重作用点の変位である）との関係を実験した。その比較結果を図７にグラフで示す。図７から分るように、従来の定着構造によると、１点鎖線で示すように、螺旋線材に比較的小さい荷重にて螺旋線材が引き抜けてくるため荷重作用点の変位が大きくなるのに対して、本発明の定着構造によると、実線で示すように、螺旋線材に大きな荷重が作用しても引き抜けることは無く少量伸びるだけで持ちこたえることができ、本発明の定着構造が優れていることが確認できた。また、図２に示した本発明に係る金網端部の定着構造においても、図１の構造のときと同等以上の性能を発揮することができた。
【００２７】
なお、螺旋線材からなる金網は、容易に連結できると共に、分離ができるのでその態様を図５によって説明する。図５は、図４に示す金網１２ａを２枚連結する形態を示している。この場合は、予め隣接する２本ずつを残して、その間の２本を間引いてある金網１２ａの端部を軸方向に相互に位置をずらし、かつ、間引いた２本の横線１５の部位において、一方の金網１２ａの縦線１４に編み込まれるように、他方の金網１２ａから突出する横線１５を回転させながら進入させる。こうして横線１５の先端部２１を相手側の縦線１４の端部に進入させ、あたかも櫛歯を向い合わせて相互に食い込ませたごとき連結部７において、各々突出した横線１５の先端部２１に直角の方向から連結用の螺旋線材８を回転して進入させることで、横線１５の端部同士を連結できる。このように連結した状態で、線材端部を折り曲げて挟持金物に定着させるようにすればよい。
【００２８】
また、図６の最密状態の金網１２ｂの端部を連結する場合も、前記と略同様に行うことができる。すなわち、金網１２ｂの端部を対向配置し、金網１２ｂの一方の端部の横線１５を２本づつ２本おきに回転させて前進させ、他方の端部側では、それに対応する位置の横線１５を回転して後退させることで、各端部同士をあたかも歯を向かい合わせて相互に食い込ませたごとき連結部とする。そして、連結部の直角方向から連結用の螺旋線材を回転しながら進入させることで、金網１２ｂの端部同士を連結できる。このように連結した状態で、前記と同様に線材端部を折り曲げて挟持金物に定着させるようにすればよい。
【００２９】
なお、図示した例は、金網の上端部の定着構造であるが、金網の側部の定着構造にも適用できる。この場合は、金網の横線に横方向の引張力が作用することにより、横線が回転しながらこれと直角に交差する縦線から抜け出るという問題を解決できる。
【００３０】
本発明を実施する場合、ボルト３の外側に配置する横線１５ａを３本以上としてもよい。
【図面の簡単な説明】
【００３１】
【図１】第１実施形態に係る２本間引き金網の端部定着構造を示し、図１（ａ）は、図１（ｂ）の中央部縦断正面図、図１（ｂ）は、２枚の帯状平鋼で金網の端部を固定した形態を示す断面図である。
【図２】第２実施形態に係る２本間引き金網の端部定着構造を示し、図２（ａ）は、図２（ｂ）の中央部縦断正面図、図２（ｂ）は、２枚のL字状形鋼で金網の端部を固定した形態を示す断面図である。
【図３】（ａ）は、螺旋線材の斜視図、（ｂ）は、螺旋線材の側面説明図、（ｃ）は、（ｂ）Ｏ−Ｏ、Ｐ−Ｐ、Ｑ−Ｑ、Ｒ−Ｒ矢視部の説明図である。
【図４】２本間引き金網の正面部分図である。
【図５】２本間引き金網を連結用の螺旋線材を用いて連結する形態を示す説明図である。
【図６】最密状態の金網の正面部分図である。
【図７】本発明と従来例に係る金網の端部定着構造において、各々の螺旋線材に作用する荷重と伸び量の関係を比較して示すグラフである。
【図８】螺旋線材を用いた金網の従来の端部定着構造を示し、（ａ）は、２枚の挟持金物からなる固定用枠体のうち、手前の固定用枠体を取り外して示す正面図、（ｂ）は、２枚の固定用枠体で金網の端部を固定した形態を示す断面図である。
【符号の説明】
【００３２】
１  金網
２  帯状平鋼
２ａ  L字状形鋼
３  ボルト
４  ナット
５  網目
６  L字状形鋼の垂直片（縦片）
７  連結部
８  連結用の螺旋線材
９  折り曲げ部
１０  縦線の先端部
１２ａ  縦横の線材を２本ずつ間引いた金網
１２ｂ  縦横の線材を最密に編み込んだ金網
１３  水平片（横片）
１４  縦線
１５  横線
１５ａ  ボルトよりも外側において挟持金物で挟持された横線
１７  螺旋線材
１８  山部
１９  谷部
２１  横線の先端部
【図１】
2006312840.tif 000003
【図２】
2006312840.tif 000004
【図３】
2006312840.tif 000005
【図４】
2006312840.tif 000006
【図５】
2006312840.tif 000007
【図６】
2006312840.tif 000008
【図７】
2006312840.tif 000009
【図８】
2006312840.tif 000010